(57)【要約】【課題】保護されていない重要なメールを可能な限り消去され難くすることが可能な通信端末装置、受信メール消去方法及びプログラムを提供することにある。【解決手段】制御部２７は、図６（Ａ）の通り、メール番号Ｎ−４を消去し、メール番号１〜Ｎ−５のデータを下にシフトさせ、最新の受信メールをメール番号１に記憶する。制御部２７は、メール番号Ｎ−４を消去する場合、優先消去モードがＯＮに設定されているので、送信者メールアドレスが「ａａａ＠ａａａ．ｃｏ．ｊｐ」又は「ｂｂｂ＠ｂｂｂ．ｃｏ．ｊｐ」の受信メールの内、最古のもので且つ消去可能なものを検索する。【選択図】図６
2005063210.tif 000002
【特許請求の範囲】
【請求項１】
最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置において、
メールアドレスを指定するアドレス指定手段と、
前記アドレス指定手段が指定したメールアドレスからの電子メールの優先消去モードを設定する設定手段と、
前記アドレス指定手段が指定したメールアドレスに基づいて、前記電子メールメモリに記憶する複数の電子メールの消去を制御する制御部とを具備し、
前記制御部は、前記優先消去モードが設定されている状態で、最新の電子メールを受信した場合、電子メールメモリに記憶している複数の電子メールのいずれか１つ以上を消去する必要があるときには、前記電子メールメモリに記憶している前記メールアドレスからの電子メールの中から最古の電子メールを順に消去することにより、前記最新の電子メールを前記電子メールメモリに記憶すること、
を特徴とする通信端末装置。
【請求項２】
請求項１に記載の通信端末装置において、
前記制御部は、前記メールアドレスからの電子メールを消去する場合、既読の電子メールの中から最古の電子メールを順に消去すること、
を特徴とする通信端末装置。
【請求項３】
請求項２に記載の通信端末装置において、
前記制御部は、前記メールアドレスからの電子メールを消去する場合、既読の電子メールが無いときには、未読の電子メールの中から最古の電子メールを順に消去すること、
を特徴とする通信端末装置。
【請求項４】
請求項１乃至請求項３のいずれかに記載の通信端末装置において、
前記制御部は、前記メールアドレスからの電子メールを消去する場合、保護されている電子メールを消去しないこと、
を特徴とする通信端末装置。
【請求項５】
最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置の受信メール消去方法において、
メールアドレスを指定するアドレス指定ステップと、
前記アドレス指定ステップが指定したメールアドレスからの電子メールの優先消去モードを設定する設定ステップと、
前記アドレス指定ステップが指定したメールアドレスに基づいて、前記電子メールメモリに記憶する複数の電子メールの消去を制御する制御ステップとを含み、
前記制御ステップは、前記優先消去モードが設定されている状態で、最新の電子メールを受信した場合、電子メールメモリに記憶している複数の電子メールのいずれか１つ以上を消去する必要があるときには、前記電子メールメモリに記憶している前記メールアドレスからの電子メールの中から最古の電子メールを順に消去することにより、前記最新の電子メールを前記電子メールメモリに記憶すること、
を特徴とする受信メール消去方法。
【請求項６】
通信端末装置に受信メール消去処理手順を実行させるプログラムであって、
前記通信端末装置は、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶し、
前記受信メール消去処理手順は、
メールアドレスを指定するアドレス指定手順と、
前記アドレス指定手順が指定したメールアドレスからの電子メールの優先消去モードを設定する設定手順と、
前記アドレス指定手順が指定したメールアドレスに基づいて、前記電子メールメモリに記憶する複数の電子メールの消去を制御する制御手順とを含み、
前記制御手順は、前記優先消去モードが設定されている状態で、最新の電子メールを受信した場合、電子メールメモリに記憶している複数の電子メールのいずれか１つ以上を消去する必要があるときには、前記電子メールメモリに記憶している前記メールアドレスからの電子メールの中から最古の電子メールを順に消去することにより、前記最新の電子メールを前記電子メールメモリに記憶すること、
を特徴とするプログラム。
【請求項７】
最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置において、
メールアドレスを指定するアドレス指定手段と、
前記アドレス指定手段が指定したメールアドレスからの電子メールの優先消去モードを設定する設定手段と、
前記アドレス指定手段が指定したメールアドレスから送信されてくる電子メールの記憶数量又は記憶容量を入力する入力手段と、
前記アドレス指定手段が指定したメールアドレス及び前記入力手段が入力した電子メールの記憶数量又は記憶容量に基づいて、前記電子メールメモリに記憶する複数の電子メールの消去を制御する制御部とを具備し、
前記制御部は、前記優先消去モードが設定されている状態で、最新の電子メールを受信した場合、電子メールメモリに記憶している複数の電子メールのいずれか１つ以上を消去する必要があるときには、前記記憶数量又は記憶容量に達するまで前記電子メールメモリに記憶している前記メールアドレスからの電子メールの中から最古の電子メールを順に消去することにより、前記最新の電子メールを前記電子メールメモリに記憶すること、
を特徴とする通信端末装置。
【請求項８】
請求項７に記載の通信端末装置において、
前記制御部は、前記メールアドレスからの電子メールが前記記憶数量又は記憶容量に達した状態で、最新の電子メールを受信した場合、前記複数の電子メール中で最古の電子メールから順に消去すること、
を特徴とする通信端末装置。
【請求項９】
最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置の受信メール消去方法において、
メールアドレスを指定するアドレス指定ステップと、
前記アドレス指定ステップが指定したメールアドレスからの電子メールの優先消去モードを設定する設定ステップと、
前記アドレス指定ステップが指定したメールアドレスから送信されてくる電子メールの記憶数量又は記憶容量を入力する入力ステップと、
前記アドレス指定ステップが指定したメールアドレス及び前記入力ステップが入力した電子メールの記憶数量又は記憶容量に基づいて、前記電子メールメモリに記憶する複数の電子メールの消去を制御する制御ステップとを含み、
前記制御ステップは、前記優先消去モードが設定されている状態で、最新の電子メールを受信した場合、電子メールメモリに記憶している複数の電子メールのいずれか１つ以上を消去する必要があるときには、前記記憶数量又は記憶容量に達するまで前記電子メールメモリに記憶している前記メールアドレスからの電子メールの中から最古の電子メールを順に消去することにより、前記最新の電子メールを前記電子メールメモリに記憶すること、
を特徴とする受信メール消去方法。
【請求項１０】
通信端末装置に受信メール消去処理手順を実行させるプログラムであって、
前記通信端末装置は、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶し、
前記受信メール消去処理手順は、
メールアドレスを指定するアドレス指定手順と、
前記アドレス指定手順が指定したメールアドレスからの電子メールの優先消去モードを設定する設定手順と、
前記アドレス指定手順が指定したメールアドレスから送信されてくる電子メールの記憶数量又は記憶容量を入力する入力手順と、
前記アドレス指定手順が指定したメールアドレス及び前記入力手段が入力した電子メールの記憶数量又は記憶容量に基づいて、前記電子メールメモリに記憶する複数の電子メールの消去を制御する制御手順とを含み、
前記制御手順は、前記優先消去モードが設定されている状態で、最新の電子メールを受信した場合、電子メールメモリに記憶している複数の電子メールのいずれか１つ以上を消去する必要があるときには、前記記憶数量又は記憶容量に達するまで前記電子メールメモリに記憶している前記メールアドレスからの電子メールの中から最古の電子メールを順に消去することにより、前記最新の電子メールを前記電子メールメモリに記憶すること、
を特徴とするプログラム。
【発明の詳細な説明】
【技術分野】
【０００１】
本発明は、通信端末装置、受信メール消去方法及びプログラムに係り、更に詳しくは、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置及び受信メール消去方法に関する。
【０００２】
また、本発明は、それらの処理手順を半導体メモリー、ＬＤ（レーザーディスク）、ＨＤ（ハードディスク）、ＦＤ（フレキシブルディスク）、ＭＤ（ミニディスク）、ＣＤ（コンパクトディスク）又はＤＶＤ（デジタルビデオディスク）などの情報記憶媒体に記録したプログラムに関する。
【背景技術】
【０００３】
近年、通信端末装置の技術発展は目覚しく、携帯電話機において基本機能である通話機能に加え、テキストデータや画像データを送受信する電子メール機能やＮＴＴドコモのｉモードに代表される様にインターネット接続機能を具備する通信端末装置を各通信事業者が競って商品化している。
【０００４】
また、最新の携帯電話機は、例えばデジタル・スチル・カメラ（以下、「ＤＳＣ」という）などで取り込んだり、通話相手が送信した写真などの画像データを高精細かつカラーで表示するものも登場しており、新たなコミュニケーション手段を提供する必須機能となりつつある。なお、インターネットに接続して、画像データを含む電子メールを送受信する従来の携帯電話機は、以下の特許文献に開示されている。
【特許文献１】特開平１０−３１３３３８、特開平１１−９８２４８、特開平１１−１１２５５４及び特開２０００−３２１４２  特に、この電子メール機能であるが、従来の携帯電話機では受信できる電子メールの記憶数量又は記憶容量は、搭載しているメモリの関係で一般に有限である（なお、ＮＴＴドコモ、ＡＵ及び三洋電機は登録商標である）。
【０００５】
例えば、ＡＵが販売する三洋電機製Ａ３０１１ＳＡでは、その取扱説明書第４５３頁上段において、「受信可能件数は１００件です。１００件を超えたときは、最も古い既読メール→最も古い未読メール（保護したものは除く）の順に消去されます。…」と記載されている。
【０００６】
即ち、最新の電子メールを受信した場合、上限の１００件を超えることにより電子メールメモリに記憶している複数の電子メールのいずれか１つ以上を消去する必要があるときには、記憶する複数の電子メール中で最古の電子メールから順に消去して、最新の電子メールを電子メールメモリに記憶するように構成されている。
【０００７】
また、これと同様に、受信可能件数（記憶数量）に制限を設けるのではなく、記憶容量に上限を設け、それを超えたときは、最も古い既読メールから順に消去する携帯電話機も存在する。
【０００８】
上記いずれの携帯電話機においても、最も古いメールを順に消去する代わりに、最新のメールを自動的に受信及び通知するので、ユーザはメールが到着するやいなやメールの内容を確認できるというメリットがある。
【発明の開示】
【発明が解決しようとする課題】
【０００９】
しかしながら、これら従来の携帯電話機は、上述したとおり、電子メールメモリが一杯の状態で最新メールを受信すると、最も古いメールから順に自動消去するので、保護されていない重要なメールも消去されてしまうという問題点がある。
【課題を解決するための手段】
【００１０】
請求項１に係る本発明の通信端末装置は、上記の目的を達成するために、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置において、メールアドレスを指定するアドレス指定手段と、前記アドレス指定手段が指定したメールアドレスからの電子メールの優先消去モードを設定する設定手段と、前記アドレス指定手段が指定したメールアドレスに基づいて、前記電子メールメモリに記憶する複数の電子メールの消去を制御する制御部とを具備し、前記制御部は、前記優先消去モードが設定されている状態で、最新の電子メールを受信した場合、電子メールメモリに記憶している複数の電子メールのいずれか１つ以上を消去する必要があるときには、前記電子メールメモリに記憶している前記メールアドレスからの電子メールの中から最古の電子メールを順に消去することにより、前記最新の電子メールを前記電子メールメモリに記憶することを特徴とする。
【００１１】
請求項２に係る本発明の通信端末装置は、請求項１に記載の通信端末装置において、前記制御部は、前記メールアドレスからの電子メールを消去する場合、既読の電子メールの中から最古の電子メールを順に消去することを特徴とする。
【００１２】
請求項３に係る本発明の通信端末装置は、請求項２に記載の通信端末装置において、前記制御部は、前記メールアドレスからの電子メールを消去する場合、既読の電子メールが無いときには、未読の電子メールの中から最古の電子メールを順に消去することを特徴とする。
【００１３】
請求項４に係る本発明の通信端末装置は、請求項１乃至請求項３のいずれかに記載の通信端末装置において、前記制御部は、前記メールアドレスからの電子メールを消去する場合、保護されている電子メールを消去しないことを特徴とする。
【００１４】
請求項５に係る本発明の受信メール消去方法は、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置の受信メール消去方法において、メールアドレスを指定するアドレス指定ステップと、前記アドレス指定ステップが指定したメールアドレスからの電子メールの優先消去モードを設定する設定ステップと、前記アドレス指定ステップが指定したメールアドレスに基づいて、前記電子メールメモリに記憶する複数の電子メールの消去を制御する制御ステップとを含み、前記制御ステップは、前記優先消去モードが設定されている状態で、最新の電子メールを受信した場合、電子メールメモリに記憶している複数の電子メールのいずれか１つ以上を消去する必要があるときには、前記電子メールメモリに記憶している前記メールアドレスからの電子メールの中から最古の電子メールを順に消去することにより、前記最新の電子メールを前記電子メールメモリに記憶することを特徴とする。
【００１５】
請求項６に係る本発明のプログラムは、通信端末装置に受信メール消去処理手順を実行させるプログラムであって、前記通信端末装置は、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶し、前記受信メール消去処理手順は、メールアドレスを指定するアドレス指定手順と、前記アドレス指定手順が指定したメールアドレスからの電子メールの優先消去モードを設定する設定手順と、前記アドレス指定手順が指定したメールアドレスに基づいて、前記電子メールメモリに記憶する複数の電子メールの消去を制御する制御手順とを含み、前記制御手順は、前記優先消去モードが設定されている状態で、最新の電子メールを受信した場合、電子メールメモリに記憶している複数の電子メールのいずれか１つ以上を消去する必要があるときには、前記電子メールメモリに記憶している前記メールアドレスからの電子メールの中から最古の電子メールを順に消去することにより、前記最新の電子メールを前記電子メールメモリに記憶することを特徴とする。
【００１６】
請求項７に係る本発明の通信端末装置は、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置において、メールアドレスを指定するアドレス指定手段と、前記アドレス指定手段が指定したメールアドレスからの電子メールの優先消去モードを設定する設定手段と、前記アドレス指定手段が指定したメールアドレスから送信されてくる電子メールの記憶数量又は記憶容量を入力する入力手段と、前記アドレス指定手段が指定したメールアドレス及び前記入力手段が入力した電子メールの記憶数量又は記憶容量に基づいて、前記電子メールメモリに記憶する複数の電子メールの消去を制御する制御部とを具備し、前記制御部は、前記優先消去モードが設定されている状態で、最新の電子メールを受信した場合、電子メールメモリに記憶している複数の電子メールのいずれか１つ以上を消去する必要があるときには、前記記憶数量又は記憶容量に達するまで前記電子メールメモリに記憶している前記メールアドレスからの電子メールの中から最古の電子メールを順に消去することにより、前記最新の電子メールを前記電子メールメモリに記憶することを特徴とする。
【００１７】
請求項８に係る本発明の通信端末装置は、請求項７に記載の通信端末装置において、前記制御部は、前記メールアドレスからの電子メールが前記記憶数量又は記憶容量に達した状態で、最新の電子メールを受信した場合、前記複数の電子メール中で最古の電子メールから順に消去することを特徴とする。
【００１８】
請求項９に係る本発明の受信メール消去方法は、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶する通信端末装置の受信メール消去方法において、メールアドレスを指定するアドレス指定ステップと、前記アドレス指定ステップが指定したメールアドレスからの電子メールの優先消去モードを設定する設定ステップと、前記アドレス指定ステップが指定したメールアドレスから送信されてくる電子メールの記憶数量又は記憶容量を入力する入力ステップと、前記アドレス指定ステップが指定したメールアドレス及び前記入力ステップが入力した電子メールの記憶数量又は記憶容量に基づいて、前記電子メールメモリに記憶する複数の電子メールの消去を制御する制御ステップとを含み、前記制御ステップは、前記優先消去モードが設定されている状態で、最新の電子メールを受信した場合、電子メールメモリに記憶している複数の電子メールのいずれか１つ以上を消去する必要があるときには、前記記憶数量又は記憶容量に達するまで前記電子メールメモリに記憶している前記メールアドレスからの電子メールの中から最古の電子メールを順に消去することにより、前記最新の電子メールを前記電子メールメモリに記憶することを特徴とする。
【００１９】
請求項１０に係る本発明のプログラムは、通信端末装置に受信メール消去処理手順を実行させるプログラムであって、前記通信端末装置は、最新の電子メールを受信した場合、電子メールメモリに記憶している複数の電子メールのいずれか１つ以上を消去する必要があるときには、前記複数の電子メール中で最古の電子メールから順に消去して、前記最新の電子メールを前記電子メールメモリに記憶し、前記受信メール消去処理手順は、メールアドレスを指定するアドレス指定手順と、前記アドレス指定手順が指定したメールアドレスからの電子メールの優先消去モードを設定する設定手順と、前記アドレス指定手順が指定したメールアドレスから送信されてくる電子メールの記憶数量又は記憶容量を入力する入力手順と、前記アドレス指定手順が指定したメールアドレス及び前記入力手段が入力した電子メールの記憶数量又は記憶容量に基づいて、前記電子メールメモリに記憶する複数の電子メールの消去を制御する制御手順とを含み、前記制御手順は、前記優先消去モードが設定されている状態で、最新の電子メールを受信した場合、電子メールメモリに記憶している複数の電子メールのいずれか１つ以上を消去する必要があるときには、前記記憶数量又は記憶容量に達するまで前記電子メールメモリに記憶している前記メールアドレスからの電子メールの中から最古の電子メールを順に消去することにより、前記最新の電子メールを前記電子メールメモリに記憶することを特徴とする。
【発明の効果】
【００２０】
本発明の解決しようとする問題点は、通信端末装置、受信メール消去方法及びプログラムにおいて、保護されていない重要なメールを可能な限り消去され難くすることである。
【発明を実施するための最良の形態】
【００２１】
本発明において、前記制御部は、前記優先消去モードが設定されている状態で、最新の電子メールを受信した場合、電子メールメモリに記憶している複数の電子メールのいずれか１つ以上を消去する必要があるときには、前記電子メールメモリに記憶している前記メールアドレスからの電子メールの中から最古の電子メールを順に消去することにより、前記最新の電子メールを前記電子メールメモリに記憶することを最も主要な特徴とする。その結果、保護されていない重要なメールを可能な限り消去され難くすることを実現した。
【実施例１】
【００２２】
まず、請求項に記載の用語の意義を定義する。
【００２３】
優先消去モードとは、電子メールメモリに記憶している複数の電子メールのいずれか１つ以上を消去する必要があるときに、ユーザが指定したメールアドレスからの電子メールを他の電子メールに優先して消去する動作モードである。
【００２４】
以下、本発明の実施の形態を図面と共に詳細に説明する。
【００２５】
図１は、本発明に係る通信端末装置の概略を示す外観構成図であり、図１（ａ）は開いた状態の正面図、図１（ｂ）は側面図、および図１（ｃ）は折り畳んだ状態の側面図である。なお、本発明の通信端末装置は、ＰＤＣ方式やＰＨＳ方式の通信端末装置だけではなく、ＩＳ−９５規格やＩＭＴ−２０００規格（第三世代：Ｗ−ＣＤＭＡ又はＣＤＭＡ２０００）または現在制定中の第四世代規格によるＣＤＭＡ（Code Division Multiple Access：符号分割多元接続）通信システムで用いられる通信端末装置に適している。
【００２６】
通信端末装置は、薄い筐体で形成された本体部１（第１の筐体）およびこれと略同じ薄い筐体で形成されたカバー部２（第２の筐体）とで基本構成される。また、両者をヒンジ機構３により連結し且つこのヒンジ機構３においてカバー部２を本体部１に対して開閉させ、折り畳み状態と開いた状態に設定できるように構成されている。ただし、本発明が折り畳み式の通信端末装置に限定されるわけではなく、従来からのストレートタイプの通信端末装置にも適用できる。
【００２７】
本体部１には、アンテナ１１、電源スイッチ１２、ボリューム１３、受話器１４、表示器１５が配設され、カバー部２には操作キー１６、送話器１７が配設される。更に、前記本体部１とカバー部２の内部には各種の回路構体（図示せず）が内装されている。
【００２８】
また、これらに加えてカバー部２の一部にはリードスイッチ１８が内装され、且つ、カバー部２を折り畳んだときにこのリードスイッチ１８に対向する本体部１の一部には、リードスイッチ１８を駆動させるためのマグネット（磁石）１９が内装されている。カバー部２を本体部１に折畳んだときには、図１（ｃ）に示すようにリードスイッチ１８が磁石１９に近接されてその磁界内に位置されるため、この磁石の磁力によってリードスイッチ１８がオンするように構成されている。
【００２９】
このリードスイッチ１８は、通信端末装置本体が開閉されたことを検出する開閉検出手段であるが、装置本体の開閉に伴って開閉されるマイクロスイッチ、本体が開いたときの光を検知する光センサ、本体の開き角度を検知するエンコーダーなど既知の検出手段を用いて構成することもできる。
【００３０】
図２は、本発明に係る通信端末装置の構成ブロック図である。
【００３１】
２１は、送受信部であり、アンテナ１１で受信した電波信号を中間周波数帯に変換したり、中間周波数帯の送信信号を無線周波数帯に変換して送信する。
【００３２】
２２は、モデム部であり、送受信信号を変復調する。
【００３３】
２３は、音声コーデック部であり、音声信号の符号化や復号化を行う。
【００３４】
２４は、アナログフロントエンド部であり、符号化された音声信号をディジタル／アナログ変換してレシーバ２６を駆動したり、マイク２５より入力された音声信号をアナログ／ディジタル変換して音声コーデック２３に出力する。
【００３５】
２７は、制御部であり、通話に必要な制御（例えば、位置登録、待受け、リンク確立、ハンドオーバ又はハンドオフ、発着呼などの制御）、電子メールの送受信制御、ウェブ接続制御、メモリ管理制御や表示制御など通信端末装置の全ての制御（例えば、着信メロディ指定制御、着信メロディ送受信制御、電話番号通知制御および電話番号記憶制御など）を行う。
【００３６】
特に、制御部２７は、電子メールの受信制御において、電子メールメモリがフルの状態で最新の電子メールを受信した場合、記憶する複数の電子メールのいずれか１つ以上を消去する必要があるときには、複数の電子メール中で最古の電子メールから順に消去して、最新の電子メールを電子メールメモリに記憶する。但し、制御部２７は、優先消去モードが設定されている状態で、最新の電子メールを受信した場合には、優先消去指定されているメールアドレスから受信し記憶している電子メールの中から最古の電子メールを順に消去し、その後最新の電子メールを電子メールメモリに記憶させる。
【００３７】
２８は、キー入力部であり、ユーザのキー操作により必要なデータを入力する。なお、キー入力部２８は、図１における電源スイッチ１２、ボリューム１３および操作キー１６に該当する（但し、リードスイッチ１８を含む場合もある）。特に、ユーザは、キー入力部を操作して、優先的に消去するメールアドレスの指定及び優先消去モードを設定する。
【００３８】
２９は、表示部であり、カラー液晶表示装置（カラーＬＣＤ）やＥＬ表示装置（エレクトロ・ルミネッセンス）、ＰＤＰ（プラズマ・ディスプレイ・パネル）などから成り、発呼者データや画像データなど電話機能に必要なデータを表示する。なお、表示部２９は、図１における表示器１５や閉じた時に情報を表示するサブ表示器（図示せず）および着信ランプ（図示せず）などである。特に、メイン表示器は、受信メールの一覧表示や選択したメールの内容を表示する。
【００３９】
３０は、記憶部であり、着信履歴データや、発呼や電子メールの送受信に使用する電話帳データ、写真などの画像データ、着信メロディの楽曲データおよび保留メロディデータなどを記憶する。また、記憶部３０は、電子メールメモリ３０ａを含んでおり、送信又は受信した複数の電子メールデータと共に、対応する送信者のメールアドレス、送信又は受信日付（日時を含む）、制御に必要な各種フラグ（既読、保護、消去フラグなど）を記憶している。なお、送受信する電子メールは、バッファメモリ３０ｂに一旦記憶された後、送受信に必要な処理がなされるようになっている。
【００４０】
３１は、メロディ発生部であり、通話呼び出しやメールを受信した場合、記憶部３０が記憶する着信メロディデータに基づいて、着信メロディを発生させることにより、ユーザに着信を通知する。
【００４１】
３２は、外部接続端子であり、ＰＣ（パーソナル・コンピュータ）、ＤＳＣ（デジタル・スチル・カメラ）やＤＶＣ（デジタル・ビデオ・カメラ）などの画像データ入力装置３３から画像データが入力されて、記憶部３０に記憶される。また、ＭＩＤＩ対応音楽装置３４などから外部接続端子３２を経由して入力された着信メロディの楽曲データも記憶することができる。さらに、旧の通信端末装置に記憶されている電話帳データを新の通信端末装置に転送して記憶することができる。これらの画像データや楽曲データは、電子メールに添付して送受信可能である。
【００４２】
つぎに、上述のように構成された本発明に係る通信端末装置の動作について説明する。
【００４３】
制御部２７は、通信端末装置のユーザが電源スイッチ１２を操作して電源オフの状態からオン状態にすると、記憶部３０から制御プログラムを読み出して初期チェックを行う。そして異常がなければ、制御部２７は、基地局と所定の通信手順に従って認証し、位置登録などを行って所謂待ち受け状態に入る。この状態で、通信端末装置は、通話や電子メールの送受信、各種設定操作が可能となる。
【００４４】
図３は、本発明に係る通信端末装置が具備する表示部の模式図であり、優先消去モードの設定画面を示している。
【００４５】
制御部２７は、通信端末装置のユーザが操作キー１６により所定の操作を行うと、優先消去モードの設定画面を表示する。
【００４６】
図３（Ａ）は、現在の設定状態であり、反転表示の「０２：ＯＦＦ」が設定されていることを示している。この「ＯＦＦ」状態では、優先消去モードは機能しない。なお、デフォルトとしては、このＯＦＦが設定されている。
【００４７】
図３（Ｂ）は、図３（Ａ）の状態から、ユーザが操作キー１６を操作して、反転表示の「０１：ＯＮ」を選択したことを示している。この状態で、ユーザが決定キー（又はＯＫキーなど）を操作すると、制御部２７は優先消去モードをＯＮに設定し、次の入力画面に移行する。
【００４８】
図４は、本発明に係る通信端末装置が具備する表示部の模式図であり、優先消去モードの設定画面を示している。
【００４９】
制御部２７は、優先消去モードをＯＮに設定すると、図４（Ａ）を表示して、ユーザに優先消去モードを機能させるメールアドレスの入力を促す。
【００５０】
図４（Ｂ）は、図４（Ａ）の状態から、ユーザが操作キー１６を操作し、メールアドレスとして、「ａａａ＠ａａａ．ｃｏ．ｊｐ」を入力したことを示している。なお、このメールアドレスの入力方法としては、直接キー入力することに加えて、電話やメールの送受信に利用する電話帳から所望のメールアドレスを呼び出して入力することも可能である。
【００５１】
図４（Ｂ）の状態で、ユーザが決定キー（又はＯＫキーなど）を操作すると、制御部２７は図４（Ａ）に戻し、他のメールアドレスの入力を促す。なお、ユーザが、同様の操作で、メールアドレスとして、「ｂｂｂ＠ｂｂｂ．ｃｏ．ｊｐ」を入力したと仮定する。そして、図４（Ａ）の状態で、ユーザが決定キー（又はＯＫキーなど）を操作すると、制御部２７は、優先消去モードがＯＮで、「ａａａ＠ａａａ．ｃｏ．ｊｐ」及び「ｂｂｂ＠ｂｂｂ．ｃｏ．ｊｐ」に対して機能させることを認識（記憶）し、待ち受け状態に戻す。
【００５２】
図５は、本発明に係る通信端末装置が具備する電子メールメモリ３０ａの構成概念図であり、図５（Ａ）乃至図５（Ｃ）は、受信した電子メールの記憶状態を時系列的に示している。なお、この実施例では、受信可能な電子メールの記憶数量を「Ｎ」（２以上の任意の自然数）とし、受信日時が新しいものから順に若いメール番号が付与されることを示している。一方、電子メールメモリ３０ａが記憶容量で規定されている場合、受信可能な電子メールの記憶数量「Ｎ」が不定なだけであって、基本的に本実施例と同様である。
【００５３】
図５（Ａ）において、メール番号１には、送信者メールアドレスがｆｆｆ＠ｆｆｆ．ｃｏ．ｊｐ、受信時刻が２００３年０８月１２日１２時３４分５６秒、受信メールデータがメール１、既読フラグが０及び保護フラグが０である。なお、受信メールデータが電子メールの本文である。また、既読フラグが０の場合、未読を意味する一方、１の場合、既読を意味し、保護フラグが０の場合、保護されていないことを意味する一方、１の場合、保護されていることを意味し、制御部２７が受信メールの管理制御に使用する。
【００５４】
メール番号２には、送信者メールアドレスがｂｂｂ＠ｂｂｂ．ｃｏ．ｊｐ、受信時刻が２００３年０８月１１日０７時４５分４６秒、受信メールデータがメール２、既読フラグが１及び保護フラグが０である。
【００５５】
メール番号３には、送信者メールアドレスがａａａ＠ａａａ．ｃｏ．ｊｐ、受信時刻が２００３年０８月１０日２１時３２分１４秒、受信メールデータがメール３、既読フラグが１及び保護フラグが０である。なお、以下、中略。
【００５６】
メール番号Ｎ−５には、送信者メールアドレスがｂｂｂ＠ｂｂｂ．ｃｏ．ｊｐ、受信時刻が２００３年０８月０８日１４時５２分１７秒、受信メールデータがメールＮ−５、既読フラグが１及び保護フラグが１である。
【００５７】
メール番号Ｎ−４には、送信者メールアドレスがｅｅｅ＠ｅｅｅ．ｃｏ．ｊｐ、受信時刻が２００３年０８月０７日２２時１２分３７秒、受信メールデータがメールＮ−４、既読フラグが１及び保護フラグが０である。
【００５８】
メール番号Ｎ−３には、送信者メールアドレスがｄｄｄ＠ｄｄｄ．ｃｏ．ｊｐ、受信時刻が２００３年０８月０７日１３時５２分１７秒、受信メールデータがメールＮ−３、既読フラグが１及び保護フラグが１である。
【００５９】
メール番号Ｎ−２には、送信者メールアドレスがｃｃｃ＠ｃｃｃ．ｃｏ．ｊｐ、受信時刻が２００３年０８月０７日０８時４３分５５秒、受信メールデータがメールＮ−２、既読フラグが０及び保護フラグが０である。なお、メール番号Ｎ−１及びメール番号Ｎは、データが全てＮＵＬＬ（即ち、なし）であり、制御部２７は、電子メールメモリ３０ａに更に２つの電子メールが受信可能であることを認識している。
【００６０】
制御部２７は、図５（Ａ）の状態で、基地局（図示せず）から自機宛の電子メールがあることを通知されると、所定の電子メール受信プロトコル（受信手順）に従って、当該電子メールを受信し、バッファメモリ３０ｂに一旦記憶するとともに、着信メロディの発生及び着信表示などの着信報知を行って、ユーザに電子メールを電子メールメモリ３０ａに正常に受信したことを表示部２９に表示する。
【００６１】
図５（Ｂ）に示した通り、制御部２７は、メール番号１に最新の受信メールを記憶し、全てのデータを下にシフトさせる。なお、図５（Ｂ）は、あくまで受信した電子メールの記憶状態を表示部２９に表示する場合の概念図であり、電子メールメモリ３０ａの内部で実際にデータがシフトする訳ではない。例えば、受信した電子メールは、電子メールメモリ３０ａの空き領域に記憶され、その際、メール番号には０から順に１、２、３…というようにシリアル番号が付与される。そして、受信メールの表示指示を受けた場合、制御部２７は、シリアル番号が若いものから順にメール番号１、２，３…と表示するのである。
【００６２】
メール番号１には、送信者メールアドレスがｇｇｇ＠ｇｇｇ．ｃｏ．ｊｐ、受信時刻が２００３年０８月１２日１５時４５分３１秒、受信メールデータがメールｇ、既読フラグが０及び保護フラグが０を記憶している。なお、メール番号Ｎは、データが全てＮＵＬＬ（即ち、なし）であり、制御部２７は、電子メールメモリ３０ａに１つだけ電子メールが受信可能であることを認識している。
【００６３】
制御部２７は、図５（Ｂ）の状態で、基地局から自機宛の電子メールがあることを通知されると、所定の電子メール受信プロトコルに従って、当該電子メールを受信し、バッファメモリ３０ｂに一旦記憶するとともに、着信メロディの発生及び着信表示などの着信報知を行って、ユーザに電子メールを電子メールメモリ３０ａに正常に受信したことを表示部２９に表示する。
【００６４】
図５（Ｃ）に示した通り、制御部２７は、メール番号１に最新の受信メールを記憶し、全てのデータを下にシフトさせる。
【００６５】
メール番号１には、送信者メールアドレスがｈｈｈ＠ｈｈｈ．ｃｏ．ｊｐ、受信時刻が２００３年０８月１２日１６時０５分０１秒、受信メールデータがメールｈ、既読フラグが０及び保護フラグが０を記憶している。なお、制御部２７は、電子メールメモリ３０ａの記憶数量（又は記憶容量）がフルになっており、この後、最新の電子メールを受信した場合、電子メールメモリ３０ａに記憶している複数の電子メールのいずれか１つ（又は１つ以上）を消去する必要があり、複数の電子メール中で最古の電子メールから順に消去して、最新の電子メールを電子メールメモリ３０ａに記憶する必要があることを認識している。そして、制御部２７は、既読フラグが１で且つ保護フラグが０の電子メールの有無を検索し、１つでも存在すれば受信可能フラグ（図示せず）を１にセットする。即ち、記憶する複数の電子メール中で消去可能なものがあるか否かを事前に判断し、消去可能であれば受信可能であるとしてフラグに１にセットするのである。一方、消去不能であれば受信可能フラグを０にセットする。
【００６６】
なお又、制御部２７は、優先消去モードがＯＦＦに設定されている場合には、最新の電子メールを受信したとき、通常は最古の電子メールから順に消去するのであるが、図５（Ｃ）の状態では、メール番号Ｎのものは既読フラグが０で未読であり、メール番号Ｎ−１のものは保護フラグが１で保護されているので、既読フラグが１で保護フラグが０のメール番号Ｎ−２を消去する。
【００６７】
図６は、本発明に係る通信端末装置が具備する電子メールメモリ３０ａの構成概念図であり、図６（Ａ）及び図６（Ｂ）は、受信した電子メールの記憶状態を時系列的に示している。なお、この場合、受信可能フラグは１にセットされている。
【００６８】
制御部２７は、図５（Ｃ）の状態で、基地局から自機宛の電子メールがあることを通知されると、受信可能フラグが１にセットされているので、受信可能と判断して、所定の電子メール受信プロトコルに従って、当該電子メールを受信し、バッファメモリ３０ｂに一旦記憶及び優先消去モードで指定されたメールアドレスからの電子メールの中から最古の電子メールを消去するとともに、着信メロディの発生及び着信表示などの着信報知を行って、ユーザに電子メールを電子メールメモリ３０ａに正常に受信したことを表示部２９に表示する。
【００６９】
図６（Ａ）に示した通り、制御部２７は、メール番号Ｎ−４を消去するとともに、メール番号１からメール番号Ｎ−５の電子メールの全てのデータを下にシフトさせ、最新の受信メールをメール番号１に記憶する。なお、制御部２７は、メール番号Ｎ−４を消去する場合、優先消去モードがＯＮに設定されているので、送信者メールアドレスが「ａａａ＠ａａａ．ｃｏ．ｊｐ」又は「ｂｂｂ＠ｂｂｂ．ｃｏ．ｊｐ」の受信メールの内、最古のもので且つ消去可能なものを検索する。この場合、最古のものは、メール番号Ｎ−３の電子メールであるが、保護フラグが１にセットされているので、制御部２７は消去不能と判断し、次を検索する。次に古いものは、メール番号Ｎ−４の電子メールであり、保護フラグが０で既読フラグが１なので、制御部２７は消去可能と判断し選択するのである。
【００７０】
なお、新たに受信したメール番号１には、送信者メールアドレスがｉｉｉ＠ｉｉｉ．ｃｏ．ｊｐ、受信時刻が２００３年０８月１２日１７時３２分１０秒、受信メールデータがメールｉ、既読フラグが０及び保護フラグが０を記憶している。
【００７１】
制御部２７は、図６（Ａ）の状態で、基地局から自機宛の電子メールがあることを通知されると、再び受信可能フラグが１にセットされているので、受信可能と判断して、所定の電子メール受信プロトコルに従って、当該電子メールを受信し、バッファメモリ３０ｂに一旦記憶及び優先消去モードで指定されたメールアドレスからの電子メールの中から最古の電子メールを消去するとともに、着信メロディの発生及び着信表示などの着信報知を行って、ユーザに電子メールを電子メールメモリ３０ａに正常に受信したことを表示部２９に表示する。
【００７２】
図６（Ｂ）に示した通り、制御部２７は、メール番号Ｎ−４を消去するとともに、メール番号１からメール番号Ｎ−５の電子メールの全てのデータを下にシフトさせ、最新の受信メールをメール番号１に記憶する。なお、制御部２７は、メール番号Ｎ−４を消去する場合、優先消去モードがＯＮに設定されているので、送信者メールアドレスが「ａａａ＠ａａａ．ｃｏ．ｊｐ」又は「ｂｂｂ＠ｂｂｂ．ｃｏ．ｊｐ」の受信メールの内、最古のもので且つ消去可能なものを検索する。この場合、最古のものは、メール番号Ｎ−３の電子メールであるが、保護フラグが１にセットされているので、制御部２７は消去不能と判断し、次を検索する。次に古いものは、メール番号Ｎ−４の電子メールであり、保護フラグが０で既読フラグが１なので、制御部２７は消去可能と判断し選択するのである。
【００７３】
なお、メール番号１として、最新に受信した電子メールの送信者メールアドレスがｊｊｊ＠ｊｊｊ．ｃｏ．ｊｐ、受信時刻が２００３年０８月１２日１８時５３分５８秒、受信メールデータがメールｊ、既読フラグが０及び保護フラグが０を記憶している。
【００７４】
制御部２７は、図６（Ｂ）の状態で、基地局から自機宛の電子メールがあることを通知されると、上述したとおりの手順で当該電子メールを受信し、その際、優先消去モードで指定されたメールアドレスからの電子メールであるメール番号７を消去し、更に新たなメールを受信すると、メール番号６を消去する。これにより、優先消去モードで指定されたメールアドレスからの電子メールで未保護のものが全て無くなり、その状態で更に新たなメールを受信すると、既読且つ未保護のメール番号Ｎ−２を消去する。なお、ユーザが入力画面で未読メールの消去指定をした場合、優先消去モード指定のメールアドレスからの電子メールが未読であっても未保護であれば優先消去の対象となるようにしてもよい。そうすれば、受信不能となる頻度を少なくすることができる。
【実施例２】
【００７５】
図７は、本発明に係る通信端末装置が具備する表示部の模式図であり、優先消去モードの設定画面を示している。
【００７６】
制御部２７は、優先消去モードをＯＮに設定すると（図３（Ｂ）参照）、図７（Ａ）を表示して、ユーザに優先消去モードを機能させるメールアドレス及び保存件数の入力を促す。
【００７７】
図７（Ｂ）は、図７（Ａ）の状態から、ユーザが操作キー１６を操作し、メールアドレスとして、「ａａａ＠ａａａ．ｃｏ．ｊｐ」及び保存件数として、「４」件を入力したことを示している。なお、このメールアドレスの入力方法としては、直接キー入力することに加えて、電話やメールの送受信に利用する電話帳から所望のメールアドレスを呼び出して入力することも可能である。
【００７８】
図７（Ｂ）の状態で、ユーザが決定キー（又はＯＫキーなど）を操作すると、制御部２７は図７（Ａ）に戻し、他のメールアドレスの入力を促す。なお、ユーザは、他のメールアドレスを入力しなかったと仮定する。そして、図７（Ａ）の状態で、ユーザが決定キー（又はＯＫキーなど）を操作すると、制御部２７は、優先消去モードがＯＮで、「ａａａ＠ａａａ．ｃｏ．ｊｐ」に対して保存件数「４」件で機能させることを認識（記憶）し、待ち受け状態に戻す。
【００７９】
図８は、本発明に係る通信端末装置が具備する電子メールメモリ３０ａの構成概念図であり、図８（Ａ）乃至図８（Ｃ）は、受信した電子メールの記憶状態を時系列的に示している。なお、この実施例では、受信可能な電子メールの記憶数量を「Ｎ」（２以上の任意の自然数）とし、受信日時が新しいものから順に若いメール番号が付与されることを示している。一方、電子メールメモリ３０ａが記憶容量で規定されている場合、受信可能な電子メールの記憶数量「Ｎ」が不定なだけであって、基本的に本実施例と同様である。
【００８０】
図８（Ａ）において、メール番号１には、送信者メールアドレスがｆｆｆ＠ｆｆｆ．ｃｏ．ｊｐ、受信時刻が２００３年０８月１２日１２時３４分５６秒、受信メールデータがメール１、既読フラグが１、保護フラグが０及び消去フラグが０である。なお、受信メールデータが電子メールの本文である。また、既読フラグが０の場合、未読を意味し、１の場合、既読を意味する。保護フラグが０の場合、保護されていないことを意味する一方、１の場合、保護されていることを意味する。消去フラグが０の場合、優先消去の対象でないことを意味する一方、１の場合、優先消去の対象であることを意味し、制御部２７が受信メールの管理制御に使用する。
【００８１】
メール番号２には、送信者メールアドレスがｂｂｂ＠ｂｂｂ．ｃｏ．ｊｐ、受信時刻が２００３年０８月１１日０７時４５分４６秒、受信メールデータがメール２、既読フラグが１、保護フラグが０及び消去フラグが０である。
【００８２】
メール番号３には、送信者メールアドレスがａａａ＠ａａａ．ｃｏ．ｊｐ、受信時刻が２００３年０８月１０日２１時３２分１４秒、受信メールデータがメール３、既読フラグが１、保護フラグが０及び消去フラグが１である。なお、以下、中略。
【００８３】
メール番号Ｎ−５には、送信者メールアドレスがｂｂｂ＠ｂｂｂ．ｃｏ．ｊｐ、受信時刻が２００３年０８月０９日０９時０２分１０秒、受信メールデータがメールＮ−５、既読フラグが１、保護フラグが０及び消去フラグが０である。
【００８４】
メール番号Ｎ−４には、送信者メールアドレスがａａａ＠ａａａ．ｃｏ．ｊｐ、受信時刻が２００３年０８月０８日１６時０９分４１秒、受信メールデータがメールＮ−４、既読フラグが１、保護フラグが０及び消去フラグが１である。
【００８５】
メール番号Ｎ−３には、送信者メールアドレスがａａａ＠ａａａ．ｃｏ．ｊｐ、受信時刻が２００３年０８月０８日１４時５２分１７秒、受信メールデータがメールＮ−３、既読フラグが１、保護フラグが１及び消去フラグが１である。
【００８６】
メール番号Ｎ−２には、送信者メールアドレスがｅｅｅ＠ｅｅｅ．ｃｏ．ｊｐ、受信時刻が２００３年０８月０７日２２時１２分３７秒、受信メールデータがメールＮ−２、既読フラグが１、保護フラグが０及び消去フラグが０である。
【００８７】
メール番号Ｎ−１には、送信者メールアドレスがｄｄｄ＠ｄｄｄ．ｃｏ．ｊｐ、受信時刻が２００３年０８月０７日１３時５２分１７秒、受信メールデータがメールＮ−１、既読フラグが１、保護フラグが１及び消去フラグが０である。
【００８８】
メール番号Ｎには、送信者メールアドレスがｃｃｃ＠ｃｃｃ．ｃｏ．ｊｐ、受信時刻が２００３年０８月０７日０８時４３分５５秒、受信メールデータがメールＮ、既読フラグが０、保護フラグが０及び消去フラグが０である。
【００８９】
制御部２７は、図８（Ａ）の状態で、基地局から自機宛の電子メールがあることを通知されると、上述したとおり、受信可能フラグが１にセットされているので、受信可能と判断して、所定の電子メール受信プロトコルに従って、当該電子メールを受信し、バッファメモリ３０ｂに一旦記憶する。また、制御部２７は、送信者メールアドレスが「ａａａ＠ａａａ．ｃｏ．ｊｐ」からの受信メールの数量を消去フラグを数えることにより把握しており、この場合３つなので、保存件数の４件に達しておらず、優先消去状態にないことを認識している。制御部２７は、全電子メールの中から既読且つ未保護であって最古の電子メールを消去するとともに、着信メロディの発生及び着信表示などの着信報知を行って、ユーザに電子メールを電子メールメモリ３０ａに正常に受信したことを表示部２９に表示する。
【００９０】
図８（Ｂ）に示した通り、制御部２７は、図８（Ａ）のメール番号Ｎ−２を消去するとともに、メール番号１からメール番号Ｎ−３の電子メールの全てのデータを下にシフトさせ、最新の受信メールをメール番号１に記憶する。なお、制御部２７は、メール番号Ｎ−２を消去する場合、優先消去モードがＯＮに設定されていても、保存件数に達していないので、受信メールの内、最古のもので且つ消去可能なものを検索する。この場合、最古のものは、メール番号Ｎの電子メールであるが、既読フラグが０にセットされているので、制御部２７は消去不能と判断し、次を検索する。次に古いものは、メール番号Ｎ−１の電子メールであるが、保護フラグが１にセットされているので、制御部２７は消去不能と判断し、次を検索する。次に古いものは、メール番号Ｎ−２の電子メールであり、既読フラグが１で保護フラグが０なので、制御部２７は消去可能と判断し選択するのである。
【００９１】
なお、新たに受信したメール番号１には、送信者メールアドレスがａａａ＠ａａａ．ｃｏ．ｊｐ、受信時刻が２００３年０８月１３日０１時４９分３８秒、受信メールデータがメールａ１、既読フラグが０、保護フラグが０及び消去フラグが１を記憶している。これにより、制御部２７は、送信者メールアドレスが「ａａａ＠ａａａ．ｃｏ．ｊｐ」からの受信メールの数量が４つなので、保存件数の４件に達しており、優先消去状態にあることを認識している。
【００９２】
制御部２７は、図８（Ｂ）の状態で、基地局から自機宛の電子メールがあることを通知されると、上述したとおり、当該電子メールを受信し、バッファメモリ３０ｂに一旦記憶する。また、制御部２７は、優先消去状態にあることを認識しているので、送信者メールアドレス「ａａａ＠ａａａ．ｃｏ．ｊｐ」からの電子メールの中から未保護であって最古の電子メールを消去するとともに、着信メロディの発生及び着信表示などの着信報知を行って、ユーザに電子メールを電子メールメモリ３０ａに正常に受信したことを表示部２９に表示する。
【００９３】
図８（Ｃ）に示した通り、制御部２７は、保存件数の４件をオーバーするので、図８（Ｂ）のメール番号Ｎ−３を消去するとともに、メール番号１からメール番号Ｎ−４の電子メールの全てのデータを下にシフトさせ、最新の受信メールをメール番号１に記憶する。なお、制御部２７は、メール番号Ｎ−３を消去するのであるが、メール番号Ｎ−２は最古で且つ消去フラグが１であっても、保護フラグが１なので消去不能と判断し選択しないのである。
【００９４】
なお、新たに受信したメール番号１には、送信者メールアドレスがａａａ＠ａａａ．ｃｏ．ｊｐ、受信時刻が２００３年０８月１３日０３時３３分４４秒、受信メールデータがメールａ２、既読フラグが０、保護フラグが０及び消去フラグが１を記憶している。これにより、制御部２７は、送信者メールアドレスが「ａａａ＠ａａａ．ｃｏ．ｊｐ」からの受信メールの数量が４つなので、保存件数の４件に達しており、優先消去状態にあることを認識している。
【００９５】
なお、制御部２７は、図８（Ｃ）の状態で、送信者メールアドレス「ａａａ＠ａａａ．ｃｏ．ｊｐ」から新たな電子メールを受信すると、保存件数の４件をオーバーするので、メール番号５を消去する一方、他の送信者メールアドレスからの電子メールの場合には、通常通り（優先消去モードが設定されていない状態の通り）、全電子メールの中から既読且つ未保護であって最古の電子メールのメール番号Ｎ−２を消去する。なお、ユーザが入力画面で未読メールの消去指定をした場合、優先消去モード指定のメールアドレスからの電子メールが未読であっても未保護であれば優先消去の対象となるようにしてもよい。そうすれば、受信不能となる頻度を少なくすることができる。即ち、メール番号２が消去対象であることを意味する。
【００９６】
また、上述した通信端末装置の各動作を時系列的に処理するステップまたは工程とすることにより、本発明に係る受信メール消去方法とすることができる。
【００９７】
更に、上述した通信端末装置が具備する制御部が行う各動作の処理手順を規定するプログラムを情報記録媒体（例えば、半導体メモリー、ＬＤ（レーザーディスク）、ＨＤ（ハードディスク）、ＦＤ（フレキシブルディスク）、ＭＤ（ミニディスク）、ＣＤ（コンパクトディスク）又はＤＶＤ（デジタルビデオディスク）など）に記憶させ、その処理手順（例えば、アプリケーションプログラム）を各種の情報処理装置にインストールすることにより、同様の動作を行わせることができる。
【産業上の利用可能性】
【００９８】
以上説明した様に、本発明に係る通信端末装置、受信メール消去方法およびプログラムによれば、電子メールメモリが一杯の状態で最新メールを受信しても、優先消去指定されている送信者メールアドレスからの電子メールを先に消去するので、他の送信者からの保護されていない重要なメールが消去され難くなる。
【図面の簡単な説明】
【００９９】
【図１】本発明に係る通信端末装置の概略を示す外観構成図である。
【図２】本発明に係る通信端末装置の構成ブロック図である。
【図３】本発明に係る通信端末装置が具備する表示部の模式図である。
【図４】本発明に係る通信端末装置が具備する表示部の模式図である。
【図５】本発明に係る通信端末装置が具備する電子メールメモリ３０ａの構成概念図である。
【図６】本発明に係る通信端末装置が具備する電子メールメモリ３０ａの構成概念図である。
【図７】本発明に係る通信端末装置が具備する表示部の模式図である。
【図８】本発明に係る通信端末装置が具備する電子メールメモリ３０ａの構成概念図である。
【符号の説明】
【０１００】
１        本体部
２        カバー部
３        ヒンジ機構
１１      アンテナ
１２      電源スイッチ
１３      ボリューム
１４      受話器
１５      表示器
１６      操作キー
１７      送話器
１８      リードスイッチ
１９      マグネット（磁石）
２１      送受信部
２２      モデム部
２３      音声コーデック部
２４      アナログフロントエンド
２５      マイク
２６      レシーバ
２７      制御部
２８      キー入力部
２９      表示部
３０      記憶部
３０ａ    電子メールメモリ
３１      メロディ発生部
３２      外部接続端子
３３      画像データ入力装置
３４      ＭＩＤＩ対応音楽装置
【図１】
2005063210.tif 000003
【図２】
2005063210.tif 000004
【図３】
2005063210.tif 000005
【図４】
2005063210.tif 000006
【図５】
2005063210.tif 000007
【図６】
2005063210.tif 000008
【図７】
2005063210.tif 000009
【図８】
2005063210.tif 000010
【手続補正書】
【提出日】平成15年11月12日(2003.11.12)
【手続補正１】
【補正対象書類名】特許請求の範囲
【補正対象項目名】全文
【補正方法】変更
【補正の内容】
【特許請求の範囲】
【請求項１】
電子メールメモリの記憶容量がフルの状態で最新の電子メールを受信した場合、前記電子メールメモリに記憶している複数の電子メール中で最古の電子メールから順に消去して、前記最新の電子メールを前記電子メールメモリに記憶する通信端末装置において、
メールアドレスを指定するアドレス指定手段と、
前記アドレス指定手段が指定したメールアドレスからの電子メールの優先消去モードを設定する設定手段と、
前記アドレス指定手段が指定したメールアドレスから送信されてくる電子メールの保存件数を入力する入力手段と、
前記アドレス指定手段が指定したメールアドレス及び前記入力手段が入力した電子メールの保存件数に基づいて、前記電子メールメモリに記憶する複数の電子メールの消去を制御する制御部とを具備し、
前記制御部は、前記優先消去モードが設定され、前記電子メールメモリの記憶容量がフルの状態で、最新の電子メールを受信した場合、前記メールアドレスからの電子メールが前記保存件数をオーバーしているときには、前記メールアドレスからの電子メールを消去する一方、オーバーしていないときには、前記複数の電子メール中で最古の電子メールを消去すること、
を特徴とする通信端末装置。
【請求項２】
電子メールメモリの記憶容量がフルの状態で最新の電子メールを受信した場合、前記電子メールメモリに記憶している複数の電子メール中で最古の電子メールから順に消去して、前記最新の電子メールを前記電子メールメモリに記憶する通信端末装置の受信メール消去方法において、
メールアドレスを指定するアドレス指定ステップと、
前記アドレス指定ステップが指定したメールアドレスからの電子メールの優先消去モードを設定する設定ステップと、
前記アドレス指定ステップが指定したメールアドレスから送信されてくる電子メールの保存件数を入力する入力ステップと、
前記アドレス指定ステップが指定したメールアドレス及び前記入力ステップが入力した電子メールの保存件数に基づいて、前記電子メールメモリに記憶する複数の電子メールの消去を制御する制御ステップとを含み、
前記制御ステップは、前記優先消去モードが設定され、前記電子メールメモリの記憶容量がフルの状態で、最新の電子メールを受信した場合、前記メールアドレスからの電子メールが前記保存件数をオーバーしているときには、前記メールアドレスからの電子メールを消去する一方、オーバーしていないときには、前記複数の電子メール中で最古の電子メールを消去すること、
を特徴とする受信メール消去方法。
【請求項３】
通信端末装置に受信メール消去処理手順を実行させるプログラムであって、
前記通信端末装置は、電子メールメモリの記憶容量がフルの状態で最新の電子メールを受信した場合、前記電子メールメモリに記憶している複数の電子メール中で最古の電子メールから順に消去して、前記最新の電子メールを前記電子メールメモリに記憶し、
前記受信メール消去処理手順は、
メールアドレスを指定するアドレス指定手順と、
前記アドレス指定手順が指定したメールアドレスからの電子メールの優先消去モードを設定する設定手順と、
前記アドレス指定手順が指定したメールアドレスから送信されてくる電子メールの保存件数を入力する入力手順と、
前記アドレス指定手順が指定したメールアドレス及び前記入力手段が入力した電子メールの保存件数に基づいて、前記電子メールメモリに記憶する複数の電子メールの消去を制御する制御手順とを含み、
前記制御手順は、前記優先消去モードが設定され、前記電子メールメモリの記憶容量がフルの状態で、最新の電子メールを受信した場合、前記メールアドレスからの電子メールが前記保存件数をオーバーしているときには、前記メールアドレスからの電子メールを消去する一方、オーバーしていないときには、前記複数の電子メール中で最古の電子メールを消去すること、
を特徴とするプログラム。
【手続補正２】
【補正対象書類名】明細書
【補正対象項目名】００１０
【補正方法】変更
【補正の内容】
【００１０】
請求項１に係る本発明の通信端末装置は、上記の目的を達成するために、電子メールメモリの記憶容量がフルの状態で最新の電子メールを受信した場合、前記電子メールメモリに記憶している複数の電子メール中で最古の電子メールから順に消去して、前記最新の電子メールを前記電子メールメモリに記憶する通信端末装置において、メールアドレスを指定するアドレス指定手段と、前記アドレス指定手段が指定したメールアドレスからの電子メールの優先消去モードを設定する設定手段と、前記アドレス指定手段が指定したメールアドレスから送信されてくる電子メールの保存件数を入力する入力手段と、前記アドレス指定手段が指定したメールアドレス及び前記入力手段が入力した電子メールの保存件数に基づいて、前記電子メールメモリに記憶する複数の電子メールの消去を制御する制御部とを具備し、前記制御部は、前記優先消去モードが設定され、前記電子メールメモリの記憶容量がフルの状態で、最新の電子メールを受信した場合、前記メールアドレスからの電子メールが前記保存件数をオーバーしているときには、前記メールアドレスからの電子メールを消去する一方、オーバーしていないときには、前記複数の電子メール中で最古の電子メールを消去することを特徴とする。
【手続補正３】
【補正対象書類名】明細書
【補正対象項目名】００１１
【補正方法】変更
【補正の内容】
【００１１】
請求項２に係る本発明の受信メール消去方法は、電子メールメモリの記憶容量がフルの状態で最新の電子メールを受信した場合、前記電子メールメモリに記憶している複数の電子メール中で最古の電子メールから順に消去して、前記最新の電子メールを前記電子メールメモリに記憶する通信端末装置の受信メール消去方法において、メールアドレスを指定するアドレス指定ステップと、前記アドレス指定ステップが指定したメールアドレスからの電子メールの優先消去モードを設定する設定ステップと、前記アドレス指定ステップが指定したメールアドレスから送信されてくる電子メールの保存件数を入力する入力ステップと、前記アドレス指定ステップが指定したメールアドレス及び前記入力ステップが入力した電子メールの保存件数に基づいて、前記電子メールメモリに記憶する複数の電子メールの消去を制御する制御ステップとを含み、前記制御ステップは、前記優先消去モードが設定され、前記電子メールメモリの記憶容量がフルの状態で、最新の電子メールを受信した場合、前記メールアドレスからの電子メールが前記保存件数をオーバーしているときには、前記メールアドレスからの電子メールを消去する一方、オーバーしていないときには、前記複数の電子メール中で最古の電子メールを消去することを特徴とする。
【手続補正４】
【補正対象書類名】明細書
【補正対象項目名】００１２
【補正方法】変更
【補正の内容】
【００１２】
請求項３に係る本発明のプログラムは、通信端末装置に受信メール消去処理手順を実行させるプログラムであって、前記通信端末装置は、電子メールメモリの記憶容量がフルの状態で最新の電子メールを受信した場合、前記電子メールメモリに記憶している複数の電子メール中で最古の電子メールから順に消去して、前記最新の電子メールを前記電子メールメモリに記憶し、前記受信メール消去処理手順は、メールアドレスを指定するアドレス指定手順と、前記アドレス指定手順が指定したメールアドレスからの電子メールの優先消去モードを設定する設定手順と、前記アドレス指定手順が指定したメールアドレスから送信されてくる電子メールの保存件数を入力する入力手順と、前記アドレス指定手順が指定したメールアドレス及び前記入力手段が入力した電子メールの保存件数に基づいて、前記電子メールメモリに記憶する複数の電子メールの消去を制御する制御手順とを含み、前記制御手順は、前記優先消去モードが設定され、前記電子メールメモリの記憶容量がフルの状態で、最新の電子メールを受信した場合、前記メールアドレスからの電子メールが前記保存件数をオーバーしているときには、前記メールアドレスからの電子メールを消去する一方、オーバーしていないときには、前記複数の電子メール中で最古の電子メールを消去することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】